(57)【特許請求の範囲】
【請求項１】
複数の骨組構成材を接合した骨組構造体である建物ユニットを用いたユニット建物の構築構造において、
骨組構成材である柱の上端部側の側面に骨組構成材である天井梁を剛接合し、該柱の下端部側の側面に骨組構成材ではない床面支持材を接合して、地盤上に基礎梁を設置し、前記床面支持材が前記基礎梁に接近するように前記建物ユニットの柱の下端部を上記基礎梁に剛接合することにより鉄骨ラーメンを構築することを特徴とする建物ユニットを用いたユニット建物の構築構造。
【請求項２】
複数の骨組構成材を接合した骨組構造体である建物ユニットを用いたユニット建物の構築構造において、
骨組構成材である柱の上端部側の側面に骨組構成材である天井梁を剛接合し、該柱の下端部側の側面に骨組構成材ではない床面支持材を接合して、地盤上に設置される基礎に前記床面支持材が接近するように建物ユニットの柱の下端部を前記基礎に直接接続することにより剛接合し、鉄骨ラーメンを構築することを特徴とする建物ユニットを用いたユニット建物の構築構造。
【請求項３】
複数の骨組構成材を接合した骨組構造体である建物ユニットを用いたユニット建物の構築構造において、
骨組構成材である柱の上端部側の側面に骨組構成材ではない天井面支持材を固定片を介して接合し、該柱の下端部側の側面に骨組構成材ではない床面支持材を接合して、地盤上に基礎梁を設置し、前記床面支持材が前記基礎梁に接近するように建物ユニットの柱の下端部を前記基礎梁に剛接合し、建物ユニットの柱の上端部に上階建物ユニットの柱の下端部を剛接合することにより鉄骨ラーメンを構築することを特徴とする建物ユニットを用いたユニット建物の構築構造。
【請求項４】
複数の骨組構成材を接合した骨組構造体である建物ユニットを用いたユニット建物の構築構造において、
骨組構成材である柱の上端部側の側面に骨組構成材ではない天井面支持材を固定片を介して接合し、該柱の下端部側の側面に骨組構成材ではない床面支持材を接合して、地盤上に設置された基礎に前記床面支持材が接近するように、建物ユニットの柱の下端部を前記基礎に直接接続することにより剛接合し、建物ユニットの柱の上端部に上階建物ユニットの柱の下端部を剛接合することにより鉄骨ラーメンを構築することを特徴とする建物ユニットを用いたユニット建物の構築構造。
【発明の詳細な説明】
【０００１】
【発明の属する技術分野】
本発明は建物ユニットとその構築方法に関する。
【０００２】
【従来の技術】
従来、ユニット建物を構成する建物ユニットとして、各 4本の柱と床梁と天井梁を骨組構成材（水平力と垂直力を負担して骨組を形成する構造材）とした箱形骨組構造体がある（従来技術Ａ）。
【０００３】
また従来の他の建物ユニットとして、特開昭59-4736 号公報に記載の如く、各 4本の柱と天井梁を骨組構成材として、床梁を備えない骨組構造体も提案されている（従来技術Ｂ）。
【０００４】
【発明が解決しようとする課題】
然しながら、従来技術には、以下の如くの問題点がある。
（従来技術Ａ）
建物ユニットの天井高ＲＨを大きくとれない。即ち、図９に示す如く、工場生産された建物ユニットを建築現場に輸送する輸送制限高さＨｘは一定（現行道路交通法3800mm）であり、トラックの荷台高さを技術的最低限にとると、ユニット高さＵＨの最大値は例えば2940mmである。 2階建住宅で建物ユニットのスパンＬを6.3m程度とりたいとき、限られた鋼材厚みで構成される床梁、天井梁の合理的な背寸法Ｂ1 、Ｂ2 は約 240mmとなる。そして、梁上寸法ｂ1 、梁下寸法ｂ2 をそれぞれ30mm、60mmとるものとすると、天井高ＲＨは、ＵＨ−（Ｂ1 ＋ｂ1 ＋Ｂ2 ＋ｂ2 ）＝2370mmが限界となる。
【０００５】
（従来技術Ｂ）
建物ユニットが床梁を備えないので、工場生産段階で、床部分を組付けることができず、間仕切等の建物内部構造も完成できず、建物ユニットの工場生産化率を高めることができない。
【０００６】
本発明の課題は、建物ユニットに工場生産段階で床部分と天井部分を組付け可能としながら、天井高を大きくとることにある。
【０００７】
【課題を解決するための手段】
請求項１に記載の本発明は、複数の骨組構成材を接合した骨組構造体である建物ユニットを用いたユニット建物の構築構造において、骨組構成材である柱の上端部側の側面に骨組構成材である天井梁を剛接合し、該柱の下端部側の側面に骨組構成材ではない床面支持材を接合して、地盤上に基礎梁を設置し、前記床面支持材が前記基礎梁に接近するように前記建物ユニットの柱の下端部を上記基礎梁に剛接合することにより鉄骨ラーメンを構築するようにしたものである。
【０００８】
請求項２に記載の本発明は、複数の骨組構成材を接合した骨組構造体である建物ユニットを用いたユニット建物の構築構造において、骨組構成材である柱の上端部側の側面に骨組構成材である天井梁を剛接合し、該柱の下端部側の側面に骨組構成材ではない床面支持材を接合して、地盤上に設置される基礎に前記床面支持材が接近するように、建物ユニットの柱の下端部を前記基礎に直接接続することにより剛接合し、鉄骨ラーメンを構築するようにしたものである。
【０００９】
請求項３に記載の本発明は、複数の骨組構成材を接合した骨組構造体である建物ユニットを用いたユニット建物の構築構造において、骨組構成材である柱の上端部側の側面に骨組構成材ではない天井面支持材を固定片を介して接合し、該柱の下端部側の側面に骨組構成材ではない床面支持材を接合して、地盤上に基礎梁を設置し、前記床面支持材が前記基礎梁に接近するように建物ユニットの柱の下端部を前記基礎梁に剛接合し、建物ユニット
の柱の上端部に上階建物ユニットの柱の下端部を剛接合することにより鉄骨ラーメンを構築するようにしたものである。
【００１０】
請求項４に記載の本発明は、複数の骨組構成材を接合した骨組構造体である建物ユニットを用いたユニット建物の構築構造において、骨組構成材である柱の上端部側の側面に骨組構成材ではない天井面支持材を固定片を介して接合し、該柱の下端部側の側面に骨組構成材ではない床面支持材を接合して、地盤上に設置された基礎に前記床面支持材が接近するように、建物ユニットの柱の下端部を前記基礎に直接接続することにより剛接合し、建物ユニットの柱の上端部に上階建物ユニットの柱の下端部を剛接合することにより鉄骨ラーメンを構築するようにしたものである。
【００１３】
請求項１に記載の本発明によれば下記ａ、ｂの作用がある。
ａ建物ユニットの床部を骨組構成材ではない床面支持材にて構成し、床部に骨組構成材を設けない。床面支持材は骨組構成材でないため、その背寸法Ｂ1 を小さくでき、結果として、天井高ＲＨを大きくとれる。
【００１４】
ｂ建物ユニットの床部に床面支持材があるので、工場生産段階で床部分を組付けることができ、間仕切等の建物内部構造も完成でき、建物ユニットの工場生産化率を高めることができる。
【００１５】
更に、下記ｃの作用がある。
ｃ上記ａ、ｂの建物ユニットの柱の下端部を基礎梁に接合することにより、床梁（骨組構成材）を備えない建物ユニットにより鉄骨ラーメンを構築できる。
【００１６】
請求項２に記載の本発明によれば下記ｄの作用がある。
ｄ上記ａ、ｂの建物ユニットの柱の下端部を基礎に直接接続することにより、床梁（骨組構成材）を備えない建物ユニットにより鉄骨ラーメンを構築できる。
【００１７】
請求項３に記載の本発明によれば下記ｅ、ｆの作用がある。
ｅ建物ユニットの床部と天井部を骨組構成材ではない床面支持材と天井面支持材にて構成し、床部と天井部に骨組構成材を設けない。床面支持材と天井面支持材は骨組構成材でないため、その背寸法Ｂ1 、Ｂ2 を小さくでき、結果として、天井高ＲＨを大きくとれる。
【００１８】
ｆ建物ユニットの床部と天井部に床面支持材と天井面支持材があるので、工場生産段階で床部分と天井部分を組付けることができ、間仕切等の建物内部構造も完成でき、建物ユニットの工場生産化率を高めることができる。
【００１９】
更に、下記ｇの作用がある。
ｇ上記ｅ、ｆの建物ユニットの柱の下端部を基礎梁に接合するとともに、柱の上端部に上階建物ユニットの柱の下端部を接合することにより、床梁と天井梁（骨組構成材）を備えない建物ユニットにより鉄骨ラーメンを構築できる。
【００２０】
請求項４に記載の本発明によれば下記ｈの作用がある。
ｈ上記ｅ、ｆの建物ユニットの柱の下端部を基礎に直接接続するとともに、柱の上端部に上階建物ユニットの柱の下端部を接合することにより、床梁と天井梁（骨組構成材）を備えない建物ユニットにより鉄骨ラーメンを構築できる。
【００２１】
【発明の実施の形態】
図１は第１実施形態を示す模式図、図２は第２実施形態を示す模式図、図３は第３実施形態を示す模式図、図４は第４実施形態を示す模式図、図５は第５実施形態を示す模式図、図６は図５における天井面支持材を示す模式図、図７は図５における天井面支持材の取付状態を示す模式図、図８は図５における床面支持材の取付状態を示す模式図、図９は建物ユニットの輸送状態を示す模式図である。
【００２２】
（第１実施形態）（図１）
建物ユニット１０は、 4本の角鋼管製柱１１と、 4本の形鋼製天井梁１２と、 4本の角鋼管もしくは形鋼製床面支持梁（床面支持材）１３とを箱形に接合した骨組構造体である。
【００２３】
柱１１と天井梁１２は、水平力と垂直力を負担して建物ユニット１０の骨組を形成する骨組構成材である。床面支持梁１３は、骨組構成材ではない。即ち、建物ユニット１０は、各柱１１の上端部に天井梁１２を溶接等により剛接合し、各柱１１の下端部に床面支持梁１３をスタッドボルト等によりピン接合したものである。
【００２４】
然るに、建物ユニット１０は、下記(1) 、(2) により構築される。
(1) 地盤上に形鋼製基礎梁２１を設置する。基礎梁２１は、地盤に設けられるプレキャストコンクリート版もしくは現場打ちコンクリートからなる基礎ベース２２にアンカーボルト等を用いて固定される。
【００２５】
(2) 建物ユニット１０の柱１１の下端部を基礎梁２１に高力ボルト等により剛接合する。
【００２６】
以下、本実施形態の作用について説明する。
▲１▼建物ユニット１０の床部を骨組構成材ではない床面支持梁１３にて構成し、床部に骨組構成材を設けない。床面支持梁１３は骨組構成材でないため、その背寸法Ｂ1 を小さくでき、結果として、天井高ＲＨを大きくとれる。
【００２７】
▲２▼建物ユニット１０の床部に床面支持梁１３があるので、工場生産段階で床部分を組付けることができ、間仕切等の建物内部構造も完成でき、建物ユニット１０の工場生産化率を高めることができる。
【００２８】
▲３▼上記▲１▼、▲２▼の建物ユニット１０の柱１１の下端部を基礎梁２１に接合することにより、床梁（骨組構成材）を備えない建物ユニット１０により鉄骨ラーメンを構築できる。
【００２９】
（第２実施形態）（図２）
第２実施形態が第１実施形態と異なる点は、建物ユニット１０の構築方法である。第２実施形態において、建物ユニット１０は、下記(1) 、(2) により構築される。
【００３０】
(1) 地盤上に基礎３１を設置する。基礎３１は、プレキャストコンクリート版もしくは現場打ちコンクリートにて設置される。
【００３１】
(2) 建物ユニット１０の柱１１の下端部を基礎３１に直接接続することにて剛接合する。直接接続方式は、露出型、半埋込型、埋込型等にてなされる。
【００３２】
以下、本実施形態の作用について説明する。
建物ユニット１０の柱１１の下端部を基礎３１に直接接続することにより、床梁（骨組構成材）を備えない建物ユニット１０により鉄骨ラーメンを構築できる。
【００３３】
（第３実施形態）（図３）
建物ユニット４０は、 4本の角鋼管製柱４１と、天井面支持パネル（天井面支持材）４２と、 4本の角鋼管もしくは形鋼製床面支持梁（床面支持材）４３とを箱形に接合した骨組構造体である。
【００３４】
柱４１は、水平力と垂直力を負担して建物ユニット４０の骨組を形成する骨組構成材である。天井面支持パネル４２と床面支持梁４３は、骨組構成材ではない。即ち、建物ユニット４０は、各柱４１の上端部に天井面支持パネル４２を固定ピース等によりピン接合し、各柱４１の下端部に床面支持梁４３をスタッドボルト等によりピン接合したものである。
【００３５】
然るに、建物ユニット４０は、下記(1) 〜(3) により設置される。
(1) 地盤上に、形鋼製基礎梁５１を設置する。基礎梁５１は、地盤に設置されるプレキャストコンクリート版もしくは現場打ちコンクリートからなる基礎ベース５２にアンカーボルト等を用いて固定される。
【００３６】
(2) 建物ユニット４０の柱４１の下端部を基礎梁５１に高力ボルト等により剛接合する。
【００３７】
(3) 建物ユニット４０の柱４１の上端部に、上階建物ユニット６０の柱６１の下端部を高力ボルト等により剛接合する。
【００３８】
尚、上階建物ユニット６０は、各 4本の柱６１と天井梁６２と床梁６３を骨組構成材とした箱形骨組構造体である。
【００３９】
以下、本実施形態の作用について説明する。
▲１▼建物ユニット４０の床部と天井部を骨組構成材ではない床面支持梁４３と天井面支持パネル４２にて構成し、床部と天井部に骨組構成材を設けない。床面支持梁４３と天井面支持パネル４２は骨組構成材でないため、その背寸法Ｂ1 、Ｂ2 を小さくでき、結果として、天井高ＲＨを大きくとれる。
【００４０】
▲２▼建物ユニット４０の床部と天井部に床面支持梁４３と天井面支持パネル４２があるので、工場生産段階で床部分と天井部分を組付けることができ、間仕切等の建物内部構造も完成でき、建物ユニット４０の工場生産化率を高めることができる。
【００４１】
▲３▼上記▲１▼、▲２▼の建物ユニット４０の柱４１の下端部を基礎梁に接合するとともに、柱の上端部に上階建物ユニット６０の柱６１の下端部を接合することにより、床梁と天井梁（骨組構成材）を備えない建物ユニット４０により鉄骨ラーメンを構築できる。
【００４２】
（第４実施形態）（図４）
第４実施形態が第３実施形態と異なる点は、建物ユニット４０の構築方法である。第４実施形態において、建物ユニット４０は、下記(1) 〜(3) により構築される。
【００４３】
(1) 地盤上に基礎７１を設置する。基礎７１は、プレキャストコンクリート版もしくは現場打ちコンクリートにて設置される。
【００４４】
(2) 建物ユニット４０の柱４１の下端部を基礎７１に直接接続することにて剛接合する。直接接続方式は、露出型、半埋込型、埋込型等にてなされる。
【００４５】
(3) 建物ユニット４０の柱４１の上端部に、第３実施形態におけると同じ上階建物ユニット６０の柱６１の下端部を高力ボルト等により剛接合する。
【００４６】
以下、本実施形態の作用について説明する。
建物ユニット４０の下端部を基礎７１に直接接続するとともに、柱４１の上端部に上階建物ユニット６０の柱６１の下端部を接合することにより、床梁と天井梁（骨組構成材）を備えない建物ユニット４０により鉄骨ラーメンを構築できる。
【００４７】
（第５実施形態）（図５〜図８）
第５実施形態は第３実施形態と略同様であり、同一部材は同一の符号を付して説明する。
【００４８】
建物ユニット４０は、第３実施形態と同様の、 4本の柱４１と、天井面支持パネル４２と、 4本の床面支持梁４３とから構成されたものである。
【００４９】
このとき、天井面支持パネル４２は、図６、図７に示す如く、横桟４２Ａと縦桟４２Ｂの枠組体からなり、横桟４２Ａに接合された固定ピース４２Ｃを介して柱４１の上端部に取着される。天井面支持パネル４２の下面には天井下地４２Ｄが、天井面支持パネル４２の上面には足場板４２Ｅが取着される。
【００５０】
また、床面支持梁４３は、図８に示す如く、柱４１の下端部に植設されたスタッドボルト４３Ａに、ナット４３Ｂにより取着される。床面支持梁４３の上には、床支持桟４３Ｃ、床下地４３Ｄが取着される。
【００５１】
そして、建物ユニット４０は、下記(1) 〜(3) により構築される。
(1) 地盤上に形鋼製基礎梁５１を設置する。基礎梁５１は、地盤に設置されるプレキャストコンクリート版もしくは現場打ちコンクリートからなる基礎ベース５２にアンカーボルト５３、ナット５４を用いて固定される。
【００５２】
(2) 建物ユニット４０の柱４１の下端部を基礎梁５１に高力ボルト５５、ナット５６により剛接合する。
【００５３】
(3) 建物ユニット４０の柱４１の上端部に、上階建物ユニット８０の柱８１の下端部を高力ボルト等により剛接合する。
【００５４】
上階建物ユニット８０は、各 4本の柱８１と床梁８２を骨組構成材としてそれらを剛接合した骨組構造体であり、各柱８１の上端部には骨組構成材ではない天井面支持パネル８３をピン接合してある。
【００５５】
この第５実施形態にあっては、第３実施形態におけると同様の作用がある。
【００５６】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００５７】
【発明の効果】
以上のように本発明によれば、建物ユニットに工場生産段階で床部分と天井部分を組付け可能としながら、天井高を大きくとることができる。
更に、建物ユニットの柱の下端部を基礎梁又は基礎に直接接続して剛接合としたり、柱の上端部に上階建物ユニットの柱の下端部を剛接合することにより、床梁又は天井梁（骨組構成材）を備えない建物ユニットにより鉄骨ラーメンを構築できる。
【図面の簡単な説明】
【図１】図１は第１実施形態を示す模式図である。
【図２】図２は第２実施形態を示す模式図である。
【図３】図３は第３実施形態を示す模式図である。
【図４】図４は第４実施形態を示す模式図である。
【図５】図５は第５実施形態を示す模式図である。
【図６】図６は図５における天井面支持材を示す模式図である。
【図７】図７は図５における天井面支持材の取付状態を示す模式図である。
【図８】図８は図５における床面支持材の取付状態を示す模式図である。
【図９】図９は建物ユニットの輸送状態を示す模式図である。
【符号の説明】
１０  建物ユニット
１１  柱
１２  天井梁
１３  床面支持梁（床面支持材）
２１  基礎梁
３１  基礎
４０  建物ユニット
４１  柱
４２  天井面支持パネル（天井面支持材）
４３  床面支持梁（床面支持材）
５１  基礎梁
６０  上階建物ユニット
６１  柱
７１  基礎
８０  上階建物ユニット
８１  柱
【図１】
0003769323.tif 000002
【図２】
0003769323.tif 000003
【図３】
0003769323.tif 000004
【図４】
0003769323.tif 000005
【図５】
0003769323.tif 000006
【図６】
0003769323.tif 000007
【図７】
0003769323.tif 000008
【図８】
0003769323.tif 000009
【図９】
0003769323.tif 000010